(57)【要約】      （修正有）【課題】少ない動作で内容物である粉粒状物を振り出す事ができ、且つその振り出し方向をコントロールしやすく、粉粒状物を振り出す時に、その振出量を調整することのできる振出構造を採用した粉粒状物の振出具を提供する。【解決手段】所定量の粉粒状物を排出する振出具であって、収容空間１０から振出口１３に至る間に、当該振出具を傾ける事によって粉粒状物が貯留される第一受容領域１１と、傾倒させた振出具を起こす事によって第一受容領域内の粉粒状物が移動する第二受容領域１２とを具備し、当該第二空間内に進退自在であって、振出具を傾ける事によって第二受容領域内の粉粒状物を支持し、当該第二受容領域から落下乃至は排出される粉粒状物の量を調整する排出量調整部が設けられている。【選択図】図２
0003160995.tif 000002
【実用新案登録請求の範囲】
【請求項１】
収容空間内に収容された粉粒状物の所定量を振出口から排出する粉粒状物の振出具であって、
収容空間から振出口に至る間に、当該振出具を傾ける事によって粉粒状物が貯留される第一受容領域と、傾倒させた振出具を起こす事によって第一受容領域内の粉粒状物が移動する第二受容領域とを具備し、
当該第二受容領域は振出口に繋がっており、
当該第二空間内に進退自在であって、振出具を傾ける事によって第二受容領域内の粉粒状物を支持し、当該第二受容領域から落下乃至は排出される粉粒状物の量を調整する排出量調整部が設けられていることを特徴とする、粉粒状物の振出具。
【請求項２】
前記排出量調整部は、第一受容領域から振出口に至る粉粒状物の移動経路に設置され、当該移動経路の開口面積を変化させ、且つ第二受容領域内に進退自在なプレート部材を含んで構成されている、請求項１に記載の粉粒状物の振出具。
【請求項３】
前記プレート部材における、第二受容領域内に侵入する先端側は、振出具を傾倒した時に第二受容領域内から落下乃至は排出される粉粒状物を保持する位置に存在し、当該プレート部材の先端と第二受容領域の壁面との間の間隙は、振出口に移動する粉粒状物を通す通路となる、請求項２に記載の粉粒状物の振出具。
【請求項４】
前記プレート部材における、第二受容領域内に侵入する先端には、振出口とは反対側の向きに曲折させた曲折部が形成されている、請求項３に記載の粉粒状物の振出具。
【請求項５】
前記振出口は、自重によって当該振出口を閉塞する蓋部材により常には閉じられており、振出具を傾倒した時に、当該蓋部材が自重によって下垂して当該振出口が開口する用に開閉自在に形成されている、請求項４に記載の粉粒状物の振出具。
【考案の詳細な説明】
【技術分野】
【０００１】
本考案は、粉状または顆粒状のものを振り出す為の振出具に関し、特に粉茶やインスタントコーヒーなどの粉粒体を、予め設定した任意の量だけ、簡易に振り出す事のできる振出具に関する。
【背景技術】
【０００２】
粉状物や粒状物などの粉粒体を所定量だけ振り出す事のできる「粉粒状物の定量振出具」は、生活用品、工業用品として数多く提供されている。
【０００３】
例えば特許文献１（特開２００２−２６４９７５号公報）には、容器の蓋を上下に貫通してパイプを設け、下端部の取入口から容器内に収容した粉粒状物をパイプ内に取り入れ、容器を反転することにより、パイプの上端の振出口から振り出すようにした、粉末定量振出容器が提案されている。特にこの文献では、一回の振出量を任意の量に調節することが出来る粉末定量振出容器を提供することを課題としている。
【０００４】
また、お茶やコーヒーなどの粉粒物を所定量だけ茶碗やコップなどの容器に取り出す場合、従来、粉粒状物が収容された容器から計量スプーン等で計り取り、これを茶碗やコップなどの容器に入れる事が行われていた。しかしながら、このように随時計り取る方法は面倒であったことから、特許文献２（特開２００１−３０１７９４号公報）では、粉末茶の定量振り出し器及び定量振り出し容器が提案されている。この特許文献２では、簡便かつ衛生的に使用可能で構造も簡単でありながら一定量の粉末茶を確実に振り出すことが可能な粉末茶の定量振り出し容器を提供するべく、主蓋と、主蓋と容器収容部との間を区画する内蓋とよりなり、主蓋の天板部に形成した突出部の先端面に多数の細孔を形成して振り出し口とし、内蓋の底板部に多数のスリットを形成した定量振り出し器を、容器本体の開口部に取り付けた粉末茶の定量振り出し容器としている。
【０００５】
また特許文献３（特開２００１−１２２３５８号公報）では、簡単な構成で茶葉、コーヒーなどの内容物を定量排出できる立体型定量排出容器を得るべく、直立方向に立てたとき、容器本体の上方に位置する排出口と、この排出口から上記容器本体内の底部方向にむかって傾斜して設けられた排出通路と、上記排出通路の下端に、所定量粉体類が入るように形成され、かつ回動できるようになされた計量容器とを設け、上記容器本体を横向きに倒したとき、上記計量容器が回動して上記所定量の粉体類が上記排出通路に排出されるようにしたことを特徴とする定量取り出し装置付き立体型定量排出容器が提案されている。
【０００６】
また本考案者は、先に特許文献４（特開２００３−５４６５８号公報）を提案している。当該文献では、簡単な構造で、低コストで、粉粒体を定量で取り出しすることができる容器を提供するべく、ロート状断面を有する斜面の底板を持った粉粒体の収納室、その収納室の最底部に開口部、該開口部と受け口とを一致させるように摺動できる、受け口を備える受け容器を有する摺動部材、受け容器は底がなく、摺動されて、落下口に一致すると、受け容器中の粉粒体が落ちる構成であり、該摺動部材に、何らかの力を加えることにより、該摺動部材が摺動される摺動手段を有する構成により、粉粒体の定量を取り出すことができる粉粒体の定量取り出し容器を提案している。
【０００７】
また本考案者は、先に特許文献５（実用新案登録第３１５１６０９号公報）を提案している。当該文献では、少ない動作で内容物である粉粒状物を振り出す事ができ、且つその振り出し方向をコントロールしやすく、更に振り出した際にも湯気などが入り込みにくい粉粒状物の振出口具及び振出容器を提供するべく、粉粒状物の受入口と振出口を備えた筐体内に、当該受入口から導入された粉粒状物を量り取る量取部と、量取部で量り取った粉粒状物を受容し、これを振出口に導く振出部とを設けてなり、当該量取部は、粉粒状物を計量するとともに、任意に内容積を調整可能な計量空間を具備し、前記振出部は、計量空間から自然落下した粉粒状物を受け入れる受容領域を具備し、当該受容領域は振出口と連通している粉粒状物の振出口具を提案している。
【先行技術文献】
【特許文献】
【０００８】
【特許文献１】特開２００２−２６４９７５号公報
【特許文献２】特開２００１−３０１７９４号公報
【特許文献３】特開２００１−１２２３５８号公報
【特許文献４】特開２００３−０５４６５８号公報
【特許文献５】実用新案登録第３１５１６０９号公報
【考案の概要】
【考案が解決しようとする課題】
【０００９】
上記特許文献１で提案されているような粉末定量振出容器では、パイプの上端の振出口から粉粒状物を振り出す為には、粉粒状物をパイプ内に取り入れた後に容器を反転させなければならず、少なからず振り出す時の動作を大きくしなければなものとなっていた。この為、利用者においては一度に大量の粉粒が出てしまわないかといった不安を抱くばかりか、振り出し口の移動量が多い事から、意図する方向に振り出すのが困難であるとの問題があった。更に、内容物を振り出した際、その振り出し口は粉粒状物を振り出した容器の真上に存在し、且つパイプが粉末定量振出容器の内部空間に連通している事から、振り出す先の容器から湯気が出ている場合には、当該湯気が粉末定量振出容器の内部空間にそのまま導かれてしまい、内容物が湿気てしまうとの問題もあった。
【００１０】
そこで本考案は、少ない動作で内容物である粉粒状物を振り出す事ができ、且つその振り出し方向をコントロールしやすく、更に振り出した際にも湯気などが入り込みにくい粉粒状物の粉粒状物の振出具を提供する事を第一の課題とする。
【００１１】
また、前記特許文献２では粉末茶の定量振り出し器及び定量振り出し容器が提案されているが、１回あたりの排出量を調整できないことから、実際の使用に際して使用の場面に応じた的確な計量が困難である。また前記特許文献３には、茶葉、コーヒーなどの内容物を定量排出できる立体型定量排出容器が提案されているが、量り取った内容物を排出する際には、容器本体と計量容器との相対的な回動が必要不可欠であることから、粉状体を排出する用途には向いていない。何故ならば回動部分に粉状体が入り込み、円滑な回動が困難になるおそれがあるためである。
【００１２】
よって本考案では、１回あたりの排出量（振出量）を調節することができ、更に粉状体であっても長期的に安定して稼動する事のできる粉粒状物の粉粒状物の振出具を提供する事を第二の課題とする。
【００１３】
更に、前記特許文献５では、少ない動作で内容物である粉粒状物を振り出す事ができ、且つその振り出し方向をコントロールしやすく、更に振り出した際にも湯気などが入り込みにくい粉粒状物の振出容器が提案されているが、その振出構造から、２回目以降に振り出される粉粒状物の振出量は、その直前に設定した振出量となり、振り出すときに、その振出量を調整するのが困難であった。
【００１４】
よって本考案では、粉粒状物を振り出す時に、その振出量を調整することのできる振出構造を採用した粉粒状物の振出具を提供することを第三の課題とする。
【課題を解決するための手段】
【００１５】
上記課題の少なくとも何れかを解決する為に、本考案では振出量を調整する為に機能する量取部を設け、この量取部で量り取る量を調整可能とすることにより、粉粒状物の一定量を量りとって振り出すことのできる粉粒状物の振出具を提供するものである。
【００１６】
即ち本考案では、前記課題の少なくとも何れかの課題を解決する為に、収容空間内に収容された粉粒状物の所定量を振出口から排出する粉粒状物の振出具であって、収容空間から振出口に至る間に、当該振出具を傾ける事によって粉粒状物が貯留される第一受容領域と、傾倒させた振出具を起こす事によって第一受容領域内の粉粒状物が移動する第２受容領域とを具備し、当該第二受容領域は振出口に繋がっており、当該第二空間には、振出具を傾倒させた時に第二受容領域内の粉粒状物の一部を支持し、当該第二受容領域から落下乃至は排出される粉粒状物の量を調整する量取部が設けられている、粉粒状物の振出具を提供するものである。
【００１７】
上記第一受容領域は、振出具を傾けることにより収容空間内の粉粒状物が自然落下して移動する領域であり、第二受容領域は傾けた振出具を鉛直方向に起こすことにより、第一受容領域内の粉粒状物が落下する領域である。よって、収容空間から第一受容領域に至る経路は上方に傾いており、第一受容領域から第二受容領域に至る経路は、下降する向きに傾斜して形成されている。
【００１８】
そして第二受容領域内には、振出具を傾倒させた時に第二受容領域内の粉粒状物の一部を支持する量取部が設けられている。この量取部が、当該第二受容領域内の粉粒状物の一部を保持することにより、当該第二受容領域内から落下乃至は排出される粉粒状物の量を調整することができる。
【００１９】
かかる量取部は、第一受容領域から振出口に至る粉粒状物の移動経路、特に望ましくは第二受容領域内に進退自在となる位置に設置されたプレート状（板状）の部材として形成することができる。即ち、このプレート部材が第二受容領域内に進入することにより、粉粒状物の移動経路の開口面積が狭まって、第二受容領域内に保持される粉粒状物が増えることから、振出口から振り出される粉粒状物の量は減じられることになる。一方、当該プレート部材を第二受容領域から退行方向に移動させる事により、粉粒状物の移動経路の開口面積は広くなり、プレート部材によって第二受容領域に保持される粉粒状物も減じられることから、その分振出口から振り出される粉粒状物の量も増加する。
【００２０】
即ち、この量取部を構成するプレート部材は、第二受容領域内に侵入する先端側で、振出具を傾倒した時に第二受容領域内から落下乃至は排出される粉粒状物を保持し、当該プレート部材の先端と第二受容領域の壁面との間の間隙から粉粒状物が振出口に移動する様に形成されることが望ましい。
【００２１】
更に上述のように粉粒状物を保持するプレート部材は、その第二受容領域内に侵入する先端には、振出口とは反対側の向きに曲折させた曲折部が形成されている事が望ましい。先端側に当該曲折部を形成することにより、第二受容領域内の粉粒状物を確実に保持することが出来るためである。
【００２２】
上記プレート状部材は、布帛を用いて形成することができるが、望ましくは可撓性を有する樹脂製のシートを用いて形成する。当該プレート状部材で量り取った粉粒状物は、そのまま自然落下により振出部に導かれる事から、摩擦抵抗を低減して自然落下を円滑に促す観点でも樹脂製のシートを用いて形成するのが望ましい。
【００２３】
以上のように構成された粉粒状物の振出具によれば、１回あたりの量り取り量（即ち振出量）を任意に調整でき、且つ量り取った粉粒状物の振り出し構造において、実質的に相対的な回転構造を無くす事により、粉状物であっても目詰まりする事無く安定して円滑に振り出す事のできる粉粒状物の振出具が実現する。更に、量取部の操作により、振出具を傾けたときに排出される粉粒状物を事前に調整できることから、使用者の好みに応じた量を振り出すことができる。そして、粉粒状物の振り出しに際しては、振出具を大きく傾斜させなくとも適当な量の粉粒状物を振り出すことができることから、使用時における不安も解消することができる。
【００２４】
上記粉粒状物の振出具において、第二受容領域から振出口に向かう経路の底面は、水平面を基準として振出口に向かって５°〜６０°の範囲、望ましくは１０°〜４５°の範囲で上向きに傾斜した部分を有することが望ましく、更に振出口は自重によって（即ち自らの重さによって鉛直方向の下向きに付勢された蓋部材によって、使用しない時は閉塞されている事が望ましい。
【００２５】
第二受容領域から振出口に向かう経路の底面を、上記の範囲で上向きに傾斜させる事により、粉粒状物を第二受容領域内に留置しておく事ができ、意図せず振出口からこぼれ落ちるといった事態を回避する事ができる。更に当該底面を上記の角度、即ち６０°を越えない範囲で傾斜させることにより、受容領域内の粉粒状物を振り出す際には、この振出口具が設けられた振出具を、前記底面が水平面よりも下に向く角度に傾斜させれば良い。よって、振出操作において大幅な動作を行う必要が無くなり、これにより振り出す際における粉粒状物の振出方向をコントロールしやすくなる。
【００２６】
また、振出口を、重力によって下向きに付勢された蓋部材で閉塞する事により、湿気や塵埃あるいは生物の侵入を阻止する事ができる。よって、前記振出口は、自重によって当該振出口を閉塞する蓋部材により常には閉じられており、振出具を傾倒した時に、当該蓋部材が自重によって下垂して当該振出口が開口する様に構成されることが望ましい。更に振出口の確実な閉塞を行う為には、蓋部材には錘などを設けて振出口を確実に閉塞する他、振出口と蓋部材との間に磁石を設けて磁力により当該蓋部材が振出口を閉塞するようにしても良い。更に当該振出口と蓋部材との間にパッキンなどを設け、湿気などの侵入を確実に阻止するのも望ましい。
【００２７】
かかる粉粒状物の振出具によれば、内容物の振出は当該振出具を傾ければよく、よって簡易に粉粒状物（内容物）を取り出すことのできる容器となる。しかも当該容器に使用されている振出構造や振出口は、上記の通りその振出方向をコントロールしやすく、かつ１回あたりの振出量を自在に調整する事ができることから、これ等の効果を享受することができる。
【００２８】
また、当該粉粒状物の振出具では、収容空間内に粉粒状物を充填するための開口部を具備し、当該開口部を閉塞する蓋部材の内側（即ち、粉粒状物収容容器における収容空間に存在する側）、或いは粉粒状物の収容空間内に区画された領域内に、内容物である粉粒状物の吸湿を阻止する為の乾燥剤乃至は吸湿剤を設置することもできる。更に、当該乾燥剤乃至は吸湿剤はその設置箇所から任意に着脱自在に設置されることが望ましい。適宜交換可能とし、粉粒状物の収容空間内を乾燥状態に保持する為である。
【００２９】
また上記振出口具を用いた振出具は、更に収容空間から第一受容領域に至る間に存在する受入口を任意に開閉可能な閉塞部材を具備する事が望ましい。かかる閉塞部材は、例えば板状又はシート状の部材として形成することができ、これをスライドさせる事により、任意に受入口を開閉するシャッターとして形成することができる。かかる閉塞部材を設けた場合、粉粒状物が、これを収容する収容空間から、意図せず第一受容領域、第二受容領域を通って振出口から振り出されてしまうような事態を阻止することができる。かかる閉塞部材は、特に当該粉粒状物の振出具を持ち歩く場合などに有効である。
【００３０】
なお、本明細書における「粉粒状物」とは、粒状のものや粉状のものの他、日本茶、紅茶などの各種茶葉のように不定形で且つ平均粒径の小さいものの集合体も含む。即ち、当該粉粒状物の振出具は、粉茶、粉砕したコーヒー豆、インスタントコーヒーなどの他、刻んだ茶葉を振り出すものとしても使用することができる。
【００３１】
また、粉粒状物の振出具は、全体が円筒状、角柱状、錐体形状、楕円柱形状など、その形状を問わず形成することができる。本考案にかかる粉粒状物の振出具の振出構造を別途モジュールとして形成し、これを粉粒状物の収容容器に組み合わせて本考案を実施することもできる。即ち、本考案にかかる粉粒状物の振出具の振出構造だけをモジュール化したものも、実質的に本考案の技術的範囲に属するものである。
【考案の効果】
【００３２】
以上のように構成した粉粒状物の振出具では、内容物である粉粒状物の振り出しに際して、少ない動作で振り出し操作を行う事ができ、且つその振り出し方向をコントロールしやすく、更に振り出した際にも湯気などが入り込みにくい粉粒状物の粉粒状物の振出具となる。
【００３３】
また、振り出す時の量を事前に調整できる振り出し構造としていることから、使用者が適宜調整した量を振り出す事ができる粉粒状物の振出具となっている。
【００３４】
また、１回あたりの排出量（振出量）を調節することができ、更に振出動作において回動部分が存在しない事から、粉状体が回動部分に目詰まりして動作不良を起こすなどの問題が生じる事無く、長期的に安定して稼動する事のできる粉粒状物の粉粒状物の振出具となる。
【図面の簡単な説明】
【００３５】
【図１】本実施の形態に係る振出具を示す（Ａ）正面図、（Ｂ）斜視図、（Ｃ）振出口を開口させた斜視図、（Ｄ）上蓋を取り外して収容空間を露出させた状態の斜視図である。
【図２】図１に示す振出具の内部構造を示す端面図である。
【図３】振出具における振出量の調整状態を示す動作説明図であり、（Ａ）は振出量を所定量に調整している状態を示す要部略図、（Ｂ）は振出量を減じた状態を示す要部略図、（Ｃ）は突起部３１を正面側から見た状態の透視略図である。
【図４】本実施の形態に係る振出具の使用状態を示す動作説明図であり、図面中（Ａ）（Ｂ）（Ｃ）（Ｄ）は、この順序で粉粒状物の振出し操作が一連に行われることを示している。
【図５】振出具の内部構造を示す斜視図である。
【考案を実施するための形態】
【００３６】
以下本考案に係る振出口具およびこれを用いて構成された振出具５０の１つの実施の形態を図面に基づいて説明する。
【００３７】
図１は本実施の形態に係る振出具５０の全体構成を示しており、当該振出具の（Ａ）正面図、（Ｂ）斜視図、（Ｃ）振出口を開口させた斜視図、（Ｄ）上蓋を取り外して収容空間を露出させた状態の斜視図を示している。これらの図に示すように、当該振出具５０は振出口を供える容器として形成されている。この振出具５０内には、粉粒状物を収容する収容空間１０が設けられ、この収容空間１０は、上蓋部材３４によって閉塞されている。この収容空間１０は、粉茶や刻んだ茶葉、或いは細かく砕いた（ミルした）コーヒー豆、インスタントコーヒー等の粉粒状物を収容する空間（図２の収容空間１０）として形成されている。また本実施の形態では収容空間１０に隣り合って、当該収容空間と底面においても連通する乾燥剤収容空間１４が形成されている。この乾燥剤収容空間１４内には、図示しないが任意に交換可能な乾燥剤を収容し、収容空間内に収容した粉粒状物の吸湿を阻止している。
【００３８】
更に、この振出具５０の正面側には、下方が前後方向に揺動する蓋部材３２が設けられ、この蓋部材３２は図１（Ｃ）に示すように開口して、振出口１３を露出させることができる。また、この振出具５０の正面側には、第二受容領域１２に進退自在なプレート状部材３０と、このプレート部材３０を操作する突起部３１とが露出している。プレート状部材３０に設けられる突起部３１は正面側に露出させて操作可能なように形成されており、当該突起部を上下方向に移動させることにより、これに繋がるプレート状部材３０も移動させることができる。
【００３９】
次に、かかる振出具５０の内部構造を、図２を参照しながら説明する。先ず、この振出具５０内には、粉粒状物を収容する為の収容空間１０が設けられている。この収容空間は、振出口を通る縦断面図形状において振出口側に向く底面が上方に湾曲してせり上がるように形成されており、その側面部分から斜め上方に向かって第一受容領域への通路が形成されている。第一受容領域は、縦断面形状が左右逆向きの「つ」字状に形成された部分を有する第一壁部２１で区画されており、当該第一壁部２１の下側の面は第二受容領域に向かっている。第二受容領域は、縦断面形状が上下逆向きの「つ」字状に形成された部分を有する第二壁部２２で区画されており、その基端側が第一受容領域１１に向く一方で、先端側は振出口１３に向かっている。また第二壁部２２の下側には、一定の間隔を確保した上で、当該第二壁部２２の下面に沿うよう部分を有する第三壁部２３が設けられている。そしてこの第二壁部２２と第三壁部２３との間には、進退自在に挟まれたプレート状部材３０が設けられている。
【００４０】
このプレート状部材３０は柔軟性を有する部材で形成されており、第二壁部２２と第三壁部２３との間に挟まれ、その先端部が第二受容領域内に進退自在であって、当該第二受容空間を横断するような幅で設けられている。またこのプレート状部材３０の基端側には、当該プレート状部材３０の進退動作を操作する突起部３１が一体化されており、この突起部３１が振出具５０の正面に露出している。特に本実施の形態にかかる振出具において、当該プレート状部材３０の先端側が振出口１３とは反対側に曲折して形成されており、第一受容領域から第二受容領域に向かう粉粒状物の移動経路に突出するように形成されている。この曲折させた部分は、スプーン状に粉粒状物を保持する機能を発揮することができる。
【００４１】
なお、図２において収容空間１０の隣であって、第一受容領域１１との間の通路の上方に形成される空間は、乾燥剤収容空間１４であり、この乾燥剤収容空間１４は当該通路乃至は第一受容領域内に開口している。その結果、当該乾燥剤収容空間１４内に乾燥剤を充填すれば、収容空間、第一受容領域および第二受容領域内の空気を乾燥させることができる。なお、図２における符号３６は外殻容器（ケース）を表している。
【００４２】
次に、図３を参照しながら、この振出具における、粉粒状物の振り出し量の調整について説明する。図３は、振出具における振出量の調整状態を示す動作説明図であり、（Ａ）は振出量を所定量に調整している状態、（Ｂ）は振出量を減じた状態、（Ｃ）は突起部３１を正面側から見た状態の透視略図を示している。
【００４３】
この図３に示すように、第三壁部２３から突起している突起部３１を上下方向に移動させることにより、これに追従してプレート状部材３０も、第二壁部２２と第三壁部２３との間をスライド移動し、その先端が第二受容領域内に進退することになる。特に図３（Ｂ）に示すように、プレート状部材３０を最も第二受容領域１２内に進入させた状態においては、その先端は第二受容領域を区画する第二壁部２２の内面に当接し、これにより両者間から粉粒状物が零れ落ちることはなくなる。
【００４４】
図４は、この振出具の使用状態を示す動作説明図であり、図４中に示した各図（Ａ）（Ｂ）（Ｃ）（Ｄ）は、この順序で粉粒状物の振出し操作が一連に行われることを示している。なお、この図４において粉粒状物は斜線で示している。
【００４５】
先ず、使用を開始する最初の状態においては、粉粒状物は収容空間１０内に存在している。このとき、第一壁部２１の基端側が庇のように収容空間１０内に突き出ていることから、充填した粉粒状物が、意図せず第一受容領域１１内に入り込むことはない。そして、収容空間１０内の粉粒状物を振り出す操作においては、最初にこの振出具５０を、振出口１３が下を向くように傾斜させる（図４（Ｂ））。この状態により、収容空間１０内の粉粒状物は第一受容領域１１内に移動する。そして、第一受容領域内に粉粒状物が移動した状態で、この振出具５０を起こすことにより、当該第一受容領域１１内の粉粒状物は、第二受容領域１２内に落下して移動する（図４（Ｃ））。このとき、第二受容領域内には、排出量調整部を構成するプレート状部材３０が進入している。その結果、第二受容領域における下方側、即ち、プレート状部材３０の下方側に存在する粉粒状物の量は、当該プレート状部材３０の進入長さ（第二受容領域内への進入の長さ）によって調整することができる。
【００４６】
そして、再び振出具５０を振出口１３が下を向くように傾斜させることにより、プレート状部材３０よりも下方に存在していた粉粒状物が、振り出し口に向かって移動し、これが排出されることになる（図４（Ｄ））。特に第二受容領域１２から振出口に向かう底面は、水平面を基準として振出口に向かって約４５°程度上向きに形成されていることから、当該振出具は、４５°程度傾ければ、粉粒状物を排出することができる。また、振り出し口を閉塞している蓋部材３２は、その自重によって鉛直方向に垂れ下がり、これにより振り出し口が開口して、粉粒状物を排出することができる。なおこの蓋部材３２には、望ましくは錘を一体化させ、当該振出具５０を立てた状態においては下向きの重力が作用し、当該振出口（１３）を確実に閉塞できるようにすることが望ましい。即ち、この振出口はやや上向きに開口している事から、当該蓋部材３２は恰も振出口に重なるように被さり、当該振出口を閉塞している。
【００４７】
この振り出し動作（図４（Ｄ））に際して、同時に第一受容領域への粉粒状物の移動が行われることから、続けて粉粒状物を振り出す場合には、再度第一受容領域１１への粉粒状物の移動を省略することができ、単に振出具５０を傾けるだけで粉粒状物を排出させることができる。よって、このように構成する事により、粉粒状物の計量と振り出しを連続して行う事ができ、利用者における無駄な動作をなくし、簡易且つ迅速に粉粒状物を振り出す事ができる。
【００４８】
なお、次の使用者が粉粒状物の振り出し量を変更したい場合には、第二受容領域１２内に粉粒状物が存在する状態（図４（Ｃ））で、前記図３で説明したようにプレート状部材３０をスライド操作すれば、振り出し量を自在に変更することができる。
【００４９】
図５は、上記振出具の内部構造を立体的に示した斜視図であり、当該振出具５０の製造に際しては、図５に示すような成型部品と、この鏡像形状となる成型部品を組み合わせて製造する事ができる。この図５において、前記図２と同一の作用乃至は構造を有するものは、同じ番号を付して、詳細な説明を省略する。
【符号の説明】
【００５０】
１０ 収容空間
１１ 第一受容領域
１２ 第二受容領域
１３ 振出口
１４ 乾燥剤収容空間
２１ 第一壁部
２２ 第二壁部
２３ 第三壁部
３０ プレート状部材
３１ 突起部
３２ 蓋部材
３４ 上蓋部材
５０ 振出具
【図１】
0003160995.tif 000003
【図２】
0003160995.tif 000004
【図３】
0003160995.tif 000005
【図４】
0003160995.tif 000006
【図５】
0003160995.tif 000007